(57)【要約】【解決手段】樹脂により成形した腕管１と腕管１内の腕索２とにより釣用片テンビン仕掛けの腕部分を構成するとともに、樹脂により成形した枝管１２と枝管１２内の枝索１３とにより釣用片テンビン仕掛けの集魚材保持枝１１を構成した。集魚材保持枝１１ではコマセ籠を利用せずに鉤棒などの集魚材保持部１５を利用した。道糸６やハリス１０を連結し得る柔軟な腕索２の撓みを撓みの少ない腕管１により抑制するとともに、腕管１に対する腕索２の位置ずれを止め部３，４，７，８により抑制して、道糸６やハリス１０の位置を保持することができる。鉤棒などの集魚材保持部１５を設けた柔軟な枝索１３の撓みを枝管１２により抑制するとともに、腕管１に対する枝管１２及び枝索１３の位置ずれを止め部１４により抑制して、鉤棒などの集魚材保持部１５の位置を保持することができる。【効果】釣用片テンビン仕掛けの総重量を軽くして釣果や使い勝手を良くする。【選択図】図１
2011160682.tif 000002
【特許請求の範囲】
【請求項１】
樹脂からなる腕管内に腕索を挿通して腕管の両端部から突出させ、この腕索の両端部のうち、この腕管の一端部から突出する腕索の一端部側に道糸を連結し得るとともに、この腕管の他端部から突出する腕索の他端部側にハリスを連結し得るようにし、この腕管に連結した保持枝に保持部を設けたことを特徴とする釣用テンビン仕掛け。
【請求項２】
前記保持枝は、樹脂からなる枝管と、この枝管内に挿通した枝索とを有し、この枝管の両端部のうち、この枝管の基端部を前記腕管に連結するとともに、この枝管の先端部から突出する枝索の先端部側に前記保持部を設けたことを特徴とする請求項１に記載の釣用テンビン仕掛け。
【請求項３】
前記腕索及び枝索もそれぞれ樹脂からなることを特徴とする請求項２に記載の釣用テンビン仕掛け。
【請求項４】
前記腕管の一端部に係止される止め部に前記腕索の一端部を挿通してこの止め部から突出する腕索の一端部側に前記道糸を連結し得るとともに、前記腕管の他端部に係止される止め部に前記腕索の他端部を挿通してこの止め部から突出する腕索の他端部側に前記ハリスを連結し得るようにしたことを特徴とする請求項３に記載の釣用テンビン仕掛け。
【請求項５】
前記腕管に前記枝管の基端部を挿通し、この腕管に係止される止め部にこの枝管の基端部及び前記枝索の基端部を連結したことを特徴とする請求項４に記載の釣用テンビン仕掛け。
【請求項６】
前記保持部は集魚材保持部または浮力付与材であることを特徴とする請求項１から請求項５のうちいずれか一つの請求項に記載の釣用テンビン仕掛け。
【発明の詳細な説明】
【技術分野】
【０００１】
本発明は例えばコマセ等の集魚材を保持する釣用テンビン仕掛けに関するものである。
【背景技術】
【０００２】
従来、下記特許文献１に示す釣用片テンビン仕掛けでは、金属製の腕棒の一端部に挿通された金属製の可動棒に道糸とコマセ籠とが連結されているとともに、金属製の腕棒の他端部にハリスが連結されている。
【先行技術文献】
【特許文献】
【０００３】
【特許文献１】特開平９−２９８９９９号公報
【発明の概要】
【発明が解決しようとする課題】
【０００４】
上記特許文献１では、腕棒が金属により成形されているので、釣用片テンビン仕掛けの総重量を重くする原因になっていた。また、コマセ籠を利用しているので、釣用片テンビン仕掛けの総重量をより一層重くする原因になっていた。釣用片テンビン仕掛けの総重量が重過ぎると、釣用片テンビン仕掛けの沈下速度が上がり過ぎてコマセの分散が不適切になったり、魚のアタリを感知しにくくなったり、魚の違和感により食い込みが悪くなったりするため、釣果が悪くなるおそれがあった。また、釣用片テンビン仕掛けの巻上げ抵抗が大きくなって使い勝手が悪くなるおそれがあった。
【０００５】
この発明は、釣用テンビン仕掛けの総重量が重過ぎることから発生する従来の問題点に鑑み、釣用テンビン仕掛けの総重量を軽くして釣果や使い勝手を良くすることを目的としている。
【課題を解決するための手段】
【０００６】
後記実施形態の図面（図１に示す第１実施形態、図２に示す第２実施形態、図３（ａ）に示す第３実施形態、図３（ｂ）に示す第４実施形態、図４に示す各実施形態の別例）の符号を援用して本発明を説明する。
【０００７】
請求項１の発明にかかる釣用テンビン仕掛けは、下記のように構成されている。
樹脂からなる腕管１内に腕索２を挿通して腕管１の両端部から突出させている。この腕索２の両端部のうち、この腕管１の一端部から突出する腕索２の一端部側に道糸６を連結し得るとともに、この腕管１の他端部から突出する腕索２の他端部側にハリス１０を連結し得るようにしている。例えば、腕索２の一端部は道糸６を連結する連結具５に連結されているとともに、腕索２の他端部はハリス１０を連結する連結具９，１０に連結されている。この腕管１に連結した一本または複数本の保持枝１１に保持部１５を設けている。この保持枝１１には例えば集魚材保持部１５を設けている。請求項１の発明では、腕管１とその腕管１内に挿通した腕索２とにより、釣用テンビン仕掛けの腕部分を構成し、その腕管１を樹脂により成形したので、釣用テンビン仕掛けの総重量を軽くすることができる。また、道糸６やハリス１０を連結し得る柔軟な腕索２の撓みを撓みの少ない腕管１により抑制することができるので、撓みの少ない腕管１の両端部側で道糸６やハリス１０の位置を保持することができる。なお、この腕管１に連結した保持枝１１に設けた保持部１５としてコマセ籠を利用しない場合には、釣用テンビン仕掛けの総重量をより一層軽くすることができる。従って、釣用テンビン仕掛けの総重量が重過ぎることから発生する従来の問題点を解消して釣果を良くすることができる。また、釣用片テンビン仕掛けの巻上げ抵抗が小さくなって使い勝手を良くすることができる。ちなみに、腕管１に対する保持枝１１の連結位置を考慮して、釣用テンビン仕掛けの全体の重心を腕管１の両端部間の中央位置付近にすることが好ましく、その場合、釣用片テンビン仕掛けは略水平な腕管１に対し保持枝１１が略上を向いた状態で水中を沈下するため、道糸６とハリス１０との絡みを防止することができる。
【０００８】
請求項１の発明を前提とする請求項２の発明において、前記保持枝１１は、樹脂からなる枝管１２と、この枝管１２内に挿通した枝索１３とを有し、この枝管１２の両端部のうち、この枝管１２の基端部を前記腕管１に連結するとともに、この枝管１２の先端部から突出する枝索１３の先端部側に前記保持部１５を設けた。請求項２の発明では、枝管１２とその枝管１２内に挿通した枝索１３とにより、釣用テンビン仕掛けの保持枝１１を構成し、その枝管１２を樹脂により成形したので、釣用テンビン仕掛けの総重量をより一層軽くすることができる。また、保持部１５を設けた柔軟な枝索１３の撓みを枝管１２により抑制することができるので、枝管１２の先端部側で保持部１５の位置を保持することができる。
【０００９】
請求項２の発明を前提とする請求項３の発明において、前記腕索２及び枝索１３もそれぞれ樹脂からなる。請求項３の発明では、樹脂からなる腕管１内の腕索２や樹脂からなる枝管１２内の枝索１３も樹脂により成形したので、釣用テンビン仕掛けの総重量をより一層軽くすることができる。
【００１０】
請求項３の発明を前提とする請求項４の発明において、前記腕管１の一端部に係止される止め部３，４に前記腕索２の一端部を挿通してこの止め部３，４から突出する腕索２の一端部側に前記道糸６を連結し得るとともに、前記腕管１の他端部に係止される止め部７，８に前記腕索２の他端部を挿通してこの止め部７，８から突出する腕索２の他端部側に前記ハリス１０を連結し得るようにした。請求項４の発明では、腕管１に対する腕索２の位置ずれを止め部３，４，７，８により抑制して、腕管１の両端部側で道糸６やハリス１０の位置を保持することができる。
【００１１】
請求項４の発明を前提とする請求項５の発明において、前記腕管１に前記枝管１２の基端部を挿通し、この腕管１に係止される止め部１４，１７にこの枝管１２の基端部及び前記枝索１３の基端部を連結した。例えば、腕管１に係止される各止め部３，４，７，８，１４，１７のうち一部または全部を錘により成形する。請求項５の発明では、腕管１に対する枝管１２及び枝索１３の位置ずれを止め部１４，１７により抑制して、枝管１２の先端部側で保持部１５の位置を保持することができる。
【００１２】
請求項１から請求項５のうちいずれか一つの請求項の発明を前提とする請求項６の発明において、前記保持部は集魚材保持部１５または浮力付与材である。例えば、集魚材はコマセであり、浮力付与材は樹脂や木材などであって、その樹脂や木材を保持枝１１に対し着脱可能にまたは一体的に設けてもよい。
【発明の効果】
【００１３】
本発明は、釣用テンビン仕掛けの総重量が重過ぎることから発生する従来の問題点に鑑み、釣用テンビン仕掛けの総重量を軽くして釣果や使い勝手を良くすることができる。
【図面の簡単な説明】
【００１４】
【図１】第１実施形態にかかる釣用テンビン仕掛けを示す正面図である。
【図２】第２実施形態にかかる釣用テンビン仕掛けを示す正面図である。
【図３】（ａ）は第３実施形態にかかる釣用テンビン仕掛けを示す正面図であり、（ｂ）は第４実施形態にかかる釣用テンビン仕掛けを示す正面図である。
【図４】（ａ）〜（ｉ）はそれぞれ上記各実施形態にかかる釣用テンビン仕掛けの別例を示す部分正面図である。
【発明を実施するための形態】
【００１５】
まず、本発明の第１実施形態にかかる釣用片テンビン仕掛けについて図１を参照して説明する。
撓みが少なく弾性により直線状に復帰し得る腕管１は、ポリプロピレン樹脂により成形され、その腕管１の両端部が開放されている。撓み易く柔軟な腕索２は、フロロカーボン樹脂により成形された撚り糸であって、この腕管１内に挿通されて腕管１の両端部から突出している。この腕索２の両端部のうち、この腕管１の一端部から突出する腕索２の一端部は、腕管１の一端部に係止される一対の止め部３，４に挿通されている。この止め部３，４から突出する腕索２の一端部は金属からなる小さな連結具５に結ばれて連結されている。この連結具５には樹脂からなる道糸６が結ばれて連結される。この腕索２の両端部のうち、この腕管１の他端部から突出する腕索２の他端部は、腕管１の他端部に係止される一対の止め部７，８に挿通されている。この止め部７，８から突出する腕索２の他端部は金属からなる小さな連結具９に結ばれて連結されている。この連結具９には樹脂からなるハリス１０が結ばれて連結される。この腕管１の両端部間中央位置に連結された一本の集魚材保持枝１１は、樹脂により成形されて弾性により起立し得る枝管１２と、この枝管１２内に挿通された枝索１３とを有している。撓み易く柔軟な枝索１３はポリエチレン樹脂により成形された撚り糸である。この枝管１２の両端部のうち、この枝管１２の基端部が腕管１に挿通され、腕管１に係止される止め部１４にこの枝管１２の基端部及び枝索１３の基端部が挿通されて分離しないように締結されて連結されている。この枝管１２の両端部のうち、この枝管１２の先端部は開放され、この枝管１２の先端部から突出する枝索１３の先端部にはＵ状に屈曲された鉤棒である集魚材保持部１５が結ばれて連結されている。この集魚材保持部１５には分散しにくいように製造されたコマセである集魚材１６が取着される。前記各止め部３，４，７，８，１４のうち、各止め部３，７，１４は鉛からなる球状の錘であり、各止め部４，８は樹脂からなる球体である。
【００１６】
図２に示す第２実施形態にかかる釣用片テンビン仕掛けについては、第１実施形態の各止め部３，４，７，８，１４のうち、鉛からなる球状の錘である各止め部３，７が省略されているとともに、鉛からなる球状の錘である止め部１４が変更され、すべての止め部４，８，１７が樹脂からなる球体である。
【００１７】
図３（ａ）に示す第３実施形態にかかる釣用片テンビン仕掛けについては、二本の集魚材保持枝１１を有している点で第１実施形態と異なり、腕管１の両端部間中央位置からその両端部側へ等距離をなす位置にそれぞれ一本の集魚材保持枝１１が配設されている。
【００１８】
図３（ｂ）に示す第４実施形態にかかる釣用片テンビン仕掛けについては、三本の集魚材保持枝１１を有している点で第１実施形態と異なり、腕管１の両端部間中央位置に一本の集魚材保持枝１１が配設されているとともに、中央の集魚材保持枝１１からその両端部側へ等距離をなす位置にそれぞれ一本の集魚材保持枝１１が配設されている。
【００１９】
第１〜４実施形態にかかる釣用片テンビン仕掛けは、その全体の重心が腕管１の両端部間の中央位置付近になるように設定されているため、水中を沈下する際、略水平な腕管１に対し集魚材保持枝１１が略上を向いた状態となる。
【００２０】
本実施形態は下記の効果を有する。
（１）  腕管１とその腕管１内に挿通した腕索２とにより釣用片テンビン仕掛けの腕部分を構成し、その腕管１及び腕索２を樹脂により成形するとともに、枝管１２とその枝管１２内に挿通した枝索１３とにより釣用片テンビン仕掛けの集魚材保持枝１１を構成し、その枝管１２及び枝索１３を樹脂により成形したので、釣用片テンビン仕掛けの総重量を軽くすることができる。また、この腕管１に連結した集魚材保持枝１１に設けた集魚材保持部１５としてコマセ籠を利用せずに鉤棒などを利用したので、釣用片テンビン仕掛けの総重量をより一層軽くすることができる。従って、釣用テンビン仕掛けの総重量が重過ぎることから発生する従来の問題点を解消して、釣果を良くすることができる。また、釣用片テンビン仕掛けの巻上げ抵抗が小さくなって使い勝手を良くすることができる。
【００２１】
（２）  釣用テンビン仕掛けの全体の重心を腕管１の両端部間の中央位置付近に設定するように、腕管１に対し集魚材保持枝１１を連結したので、釣用片テンビン仕掛けは略水平な腕管１に対し集魚材保持枝１１が略上を向いた状態で水中を沈下するため、道糸６とハリス１０との絡みを防止することができる。
【００２２】
（３）  道糸６やハリス１０を連結し得る柔軟な腕索２の撓みを撓みの少ない腕管１により抑制して、撓みの少ない腕管１の両端部側で道糸６やハリス１０の位置を保持することができる。また、腕管１に対する腕索２の位置ずれを止め部３，４，７，８により抑制して、腕管１の両端部側で道糸６やハリス１０の位置を保持することができる。従って、釣果や使い勝手を良くすることができる。
【００２３】
（４）  集魚材保持部１５としての鉤棒を設けた柔軟な枝索１３の撓みを枝管１２により抑制して、枝管１２の先端部側で集魚材保持部１５の位置を保持することができる。また、腕管１に対する枝管１２及び枝索１３の位置ずれを止め部１４，１７により抑制して、枝管１２の先端部側で集魚材保持部１５の位置を保持することができる。従って、釣果や使い勝手を良くすることができる。
【００２４】
（５）  上記各止め部３，７，１４，１７を錘として兼用することができる。
前記実施形態以外にも例えば下記のように構成してもよい。
・  図示しないが、前記実施形態の集魚材保持部１５に代えて、樹脂や木材などの浮力付与材を保持枝１１に対し着脱可能にまたは一体的に設けてもよい。この場合も、釣用テンビン仕掛けの総重量が重過ぎることから発生する従来の問題点を解消して、釣果を良くすることができる。また、釣用片テンビン仕掛けの巻上げ抵抗が小さくなって使い勝手を良くすることができる。さらに、釣用片テンビン仕掛けは略水平な腕管１に対し保持枝１１が略上を向いた状態で水中を沈下するため、道糸６とハリス１０との絡みを防止することができる。
【００２５】
・  前記実施形態では釣用片テンビン仕掛けを例示したが、釣用両テンビン仕掛けにも応用することができる。例えば、左右に並べた一対の腕管１にそれぞれ腕索２を挿通し、この両腕管１のうち、互いに対向する両腕管１の一端部から突出する腕索２の一端部側に共通の連結具を介して道糸６を連結し得るとともに、この両腕管１の他端部から突出する腕索２の他端部側に連結具９を介してハリス１０を連結し得るようにし、この両腕管１に連結した集魚材保持枝１１に鉤棒である集魚材保持部１５を設ける。
【００２６】
・  前記実施形態では釣用片テンビン仕掛けの腕管１を直線状に設けたが、その腕管１を腕索２とともに湾曲させてもよい。
・  集魚材保持部１５としては、図１〜３及び図４（ａ）に示す鉤棒以外に、図４（ｂ）（ｃ）（ｄ）（ｅ）（ｆ）（ｇ）に示す各種形状の環棒や、図４（ｈ）（ｉ）に示すコイルばね状のものや、複数の鉤棒を碇状に並べたものなどを採用してもよい。
【００２７】
・  図示しないが、前記実施形態の集魚材保持枝１１において、枝管１２を省略し、一本の撚り糸または複数の撚り糸からなる枝索１３に集魚材保持部１５を設けてもよい。
【符号の説明】
【００２８】
１…腕管、２…腕索、３，４，７，８，１４，１７…止め部、６…道糸、１０…ハリス、１１…集魚材保持枝、１２…枝管、１３…枝索、１５…集魚材保持部、１６…集魚材。
【図１】
2011160682.tif 000003
【図２】
2011160682.tif 000004
【図３】
2011160682.tif 000005
【図４】
2011160682.tif 000006